(57)【特許請求の範囲】
【請求項１】
被写体を撮像して該被写体の画像データを生成する撮像部を備えた携帯機器において、
前記画像データに対応する画像または当該携帯機器の動作情報を表示可能な表示部と、
ユーザの移動に伴う足の動きに応じて生じる略周期的な加速度の変化に従って、当該携帯機器が撮影を行う際の移動状態を判定する移動状態判定部と、
前記移動状態判定部の移動状態判定結果に応じて、前記表示部の表示を切り換える表示制御部と、
を備えたことを特徴とする携帯機器。
【請求項２】
前記表示制御部は、前記移動状態判定部が前記移動状態であると判定した場合、前記画像または当該携帯機器の動作情報を前記表示部に非表示させることを特徴とする請求項１に記載の携帯機器。
【請求項３】
前記表示制御部は、前記画像または当該携帯機器の動作情報を前記表示部に非表示させる場合、前記画像が非表示に切り換わるまでの時間を前記表示部に表示させることを特徴とする請求項２に記載の携帯機器。
【請求項４】
前記表示制御部は、前記移動状態判定部が前記移動状態でないと判定した場合、前記画像または当該携帯機器の動作情報を前記表示部に表示させることを特徴とする請求項１に記載の携帯機器。
【請求項５】
前記表示部の表示領域上に設けられ、当該携帯機器の動作を指示する動作指示の入力を受け付けるタッチパネルと、
当該携帯機器の動作を指示する動作指示の入力を受け付ける操作入力部と、
前記移動状態判定部の移動状態判定結果に応じて、前記タッチパネルまたは前記操作入力部が受け付ける前記動作指示の内容を変更する撮影制御部と、
をさらに備えたことを特徴とする請求項１〜４のいずれか１つに記載の携帯機器。
【請求項６】
被写体を撮像して該被写体の画像データを生成する撮像部と、前記画像データに対応する画像を表示可能な表示部と、を備えた携帯機器が実行する表示方法であって、
ユーザの移動に伴う足の動きに応じて生じる略周期的な加速度の変化に従って、当該携帯機器が撮影を行う際の移動状態を判定する移動状態判定ステップと、
前記移動状態判定ステップの移動状態判定結果に応じて、前記表示部の表示を切り換える表示制御ステップと、
を含むことを特徴とする表示方法。
【請求項７】
被写体を撮像して該被写体の画像データを生成する撮像部と、前記画像データに対応する画像を表示可能な表示部と、を備えた携帯機器に、
ユーザの移動に伴う足の動きに応じて生じる略周期的な加速度の変化に従って、当該携帯機器が撮影を行う際の移動状態を判定する移動状態判定ステップと、
前記移動状態判定ステップの移動状態判定結果に応じて、前記表示部の表示を切り換える表示制御ステップと、
を実行させることを特徴とするプログラム。
【発明の詳細な説明】
【技術分野】
【０００１】
本発明は、被写体を撮像して電子的な画像データを生成する携帯機器、表示方法およびプログラムに関する。
【背景技術】
【０００２】
従来から、デジタルカメラやデジタルビデオカメラ等の撮影機能を有する携帯機器においては、ユーザが撮像部によって生成された画像データに対応する画像を液晶パネル等によって実現される表示部またはビューファンダー（viewfinder）でリアルタイムに確認しながら撮影を行っている。
【０００３】
また、表示部の表示画面上にタッチパネルを設け、ユーザがビューファインダーで画像を確認しながら撮影を行う場合、撮影に関する操作をタッチパネルで行うことができる技術が知られている（特許文献１参照）。
【先行技術文献】
【特許文献】
【０００４】
【特許文献１】特開２００８−２６８７２６号公報
【発明の概要】
【発明が解決しようとする課題】
【０００５】
ところで、従来の携帯機器は、表示部の視野領域よりも小さいビューファインダーで撮影の構図を確認しつつ移動しながら撮影を行う場合、ユーザが撮影に集中するあまり、障害物に衝突する可能性があり、安全に撮影を行うことが難しかった。
【０００６】
本発明は、上記に鑑みてなされたものであって、ユーザが移動しながらでも撮影を行う場合、安全に撮影を行うことができる携帯機器、表示方法およびプログラムを提供することを目的とする。
【課題を解決するための手段】
【０００７】
上述した課題を解決し、目的を達成するために、本発明にかかる携帯機器は、被写体を撮像して該被写体の画像データを生成する撮像部を備えた携帯機器において、前記画像データに対応する画像を表示する第１の表示部と、前記画像データに対応する画像を表示し、該画像の表示領域が前記第１の表示部の表示領域より小さい第２の表示部と、当該携帯機器が撮影を行う際の移動状態を判定する移動状態判定部と、前記移動状態判定部の判定結果に応じて、前記画像を前記第１の表示部および／または第２の表示部に表示させる表示制御部と、を備えたことを特徴とする。
【０００８】
また、本発明にかかる携帯機器は、上記発明において、前記表示制御部は、前記移動状態判定部の判定結果に応じて、当該携帯機器が行う動作を指示する動作指示に関する動作情報の内容を変更して前記第１の表示部および／または前記２の表示部に表示させることを特徴とする。
【０００９】
また、本発明にかかる携帯機器は、上記発明において、前記移動状態判定部は、加速度センサを有し、前記移動状態判定部は、当該携帯機器の鉛直方向における加速度の変化の周期と当該携帯機器の水平方向における加速度の変化の周期とがほぼ一致する場合、当該携帯機器が移動状態であると判定することを特徴とする。
【００１０】
また、本発明にかかる携帯機器は、上記発明において、前記表示制御部は、前記移動状態判定部が当該携帯機器の状態を移動状態であると判定した場合、前記画像を前記第１の表示部に表示させる一方、前記移動状態判定部が当該携帯機器の状態を移動状態でないと判定した場合、前記画像を前記第２の表示部に表示させることを特徴とする。
【００１１】
また、本発明にかかる携帯機器は、上記発明において、前記表示制御部は、前記画像の表示先を前記第１および第２の表示部の一方から他方に切換える場合、前記画像を一定時間だけ前記第１の表示部および前記第２の表示部に同時に表示させることを特徴とする。
【００１２】
また、本発明にかかる携帯機器は、上記発明において、前記第１の表示部が表示する前記画像の表示時間を延長する指示を与える指示信号の入力を受け付ける入力部をさらに備え、前記表示制御部は、前記画像の表示先を前記第１の表示部から前記第２の表示部に切換える場合において、前記指示信号が入力されたとき、前記第１の表示部が表示する前記画像の表示時間を延長することを特徴とする。
【００１３】
また、本発明にかかる携帯機器は、上記発明において、前記表示制御部は、前記画像の表示先を前記第１および第２の表示部の一方から他方に切換えるまでの時間を、前記第１の表示部または前記第２の表示部に表示させることを特徴とする。
【００１４】
また、本発明にかかる携帯機器は、上記発明において、前記表示制御部は、前記画像の表示先を前記第１および第２の表示部の一方から他方に切換えることを示す切換情報を、前記第１の表示部または前記第２の表示部に表示させることを特徴とする。
【００１５】
また、本発明にかかる携帯機器は、上記発明において、前記表示制御部は、前記切換情報を時系列に沿って段階的に変化させながら前記画像に重畳することを特徴とする。
【００１６】
また、本発明にかかる携帯機器は、上記発明において、前記第２の表示部は、当該携帯機器に着脱自在であり、前記第２の表示部は、撮影者の目を近接させて前記画像を確認する接眼表示部であることを特徴とする。
【００１７】
また、本発明にかかる携帯機器は、上記発明において、前記画像は、横長であり、前記移動状態判定部は、前記画像の横方向と当該携帯機器の水平方向とがほぼ等しい場合に当該携帯機器の移動状態を判定することを特徴とする。
【００１８】
また、本発明にかかるプログラムは、被写体を撮像して該被写体の画像データを生成する撮像部と、前記画像データに対応する画像を表示する第１の表示部と、前記画像データに対応する画像を表示し、該画像の表示領域が前記第１の表示部の表示領域より小さい第２の表示部と、を備えた携帯機器に、当該携帯機器が撮影を行う際の移動状態を判定する移動状態判定ステップと、前記移動状態判定ステップの判定結果に応じて、前記第１の表示部および／または第２の表示部の少なくともどちらか一方に対して前記画像を表示させる表示制御ステップと、を実行させることを特徴とする。
【発明の効果】
【００１９】
本発明によれば、表示制御部が移動状態判定部の判定結果に応じて、撮像部によって生成された画像データに対応する画像を第１の表示部および／または第２の表示部に表示させる。これにより、ユーザが移動状態であっても、十分に視野を得ることができ、安全に撮影を行うことができるという効果を奏する。
【図面の簡単な説明】
【００２０】
【図１】図１は、本発明の実施の形態１にかかる撮像装置の被写体に面する側の構成を示す斜視図である。
【図２】図２は、本発明の実施の形態１にかかる撮像装置のユーザに面する側の構成を示す斜視図である。
【図３】図３は、本発明の実施の形態１にかかる撮像装置の構成を示すブロック図である。
【図４】図４は、本発明の実施の形態１にかかる撮像装置が備える移動状態判定部の一部をなす加速度センサの構成を示す図である。
【図５】図５は、本発明の実施の形態１にかかる撮像装置が備える移動状態判定部の構成を模式的に示す図である。
【図６】図６は、本発明の実施の形態１にかかる撮像装置を被写体に向けて移動させた場合に移動状態判定部の一部をなす加速度センサが検出する加速度の大きさの時間変化を示す図である。
【図７】図７は、本発明の実施の形態１にかかる撮像装置を用いて撮影を行う際に接眼表示部で画像を確認することができる状況の一例を模式的に示す図である。
【図８】図８は、本発明の実施の形態１にかかる撮像装置を用いて撮影を行う際に接眼表示部で画像を確認することが難しい状況の一例を模式的に示す図である。
【図９】図９は、本発明の実施の形態１にかかる撮像装置を用いて行う際に接眼表示部で画像を確認することが難しい状況の別の一例を模式的に示す図である。
【図１０】図１０は、本発明の実施の形態１にかかる撮像装置を用いて移動する際の状況を模式的に示す図である。
【図１１】図１１は、図１０に示す状況下において被写体側から見た正面を模式的に示す図である。
【図１２】図１２は、図１０に示す状況下において移動状態判定部の一部をなす加速度センサが検出する加速度の大きさの変化を示す図である。
【図１３】図１３は、図８に示す状況下においてユーザが撮影を行う際に難しい動作指示の入力の操作の一例を模式的に示す図である。
【図１４】図１４は、図８に示す状況下においてユーザが撮影を行う際に難しい動作指示の入力の操作の一例を模式的に示す図である。
【図１５】図１５は、図８に示す状況下においてユーザが撮影を行う際に難しい動作指示の入力の操作の一例を模式的に示す図である。
【図１６】図１６は、図８に示す状況下においてユーザが撮影を行う際に動作指示の入力が可能な操作の一例を模式的に示す図である。
【図１７】図１７は、本発明の実施の形態１にかかる撮像装置が行う処理の概要を示すフローチャートである。
【図１８】図１８は、本発明の実施の形態１にかかる撮像装置が備える表示部が表示する画像の一例を示す図である。
【図１９】図１９は、本発明の実施の形態１にかかる撮像装置が備える表示部が表示する画像の一例を示す図である。
【図２０】図２０は、本発明の実施の形態１にかかる撮像装置が備える表示部が表示する画像の一例を示す図である。
【図２１】図２１は、図１７に示した移動状態判定処理の概要を示すフローチャートである。
【図２２】図２２は、図９に示す状況下においてユーザが撮像装置を用いて被写体を追跡する際の状況を模式的に示す図である。
【図２３】図２３は、図２２に示す状況下において被写体側から見た正面の状態変化を模式的に示す図である。
【図２４】図２４は、図２２に示す状況下において移動状態判定部の一部をなす加速度センサが検出する加速度の大きさの変化を示す図である。
【図２５】図２５は、本発明の実施の形態２にかかる変形例において撮像装置を用いて被写体に並走しながら追跡して撮影を行う際の状況を模式的に示す図である。
【図２６】図２６は、本発明のその他の実施の形態にかかる撮像装置が備える表示部が表示する画像の一例を示す図である。
【図２７】図２７は、本発明のその他の実施の形態にかかる撮像装置が備える表示部が表示する画像の一例を示す図である。
【発明を実施するための形態】
【００２１】
以下に、図面を参照して、本発明を実施するための形態（以下、「実施の形態」という）について説明する。なお、以下の説明においては、本発明にかかる携帯機器の一例として、デジタル一眼レフカメラ等の撮像装置を例示するが、この実施の形態によって本発明が限定されるものではない。また、図面の記載において、同一の部分には同一の符号を付している。
【００２２】
（実施の形態１）
図１は、本発明の実施の形態１にかかる撮像装置の被写体に面する側（前面側）の構成を示す斜視図である。図２は、本発明の実施の形態１にかかる撮像装置のユーザに面する側（背面側）の構成を示す斜視図である。図３は、本発明の実施の形態１にかかる撮像装置の構成を示すブロック図である。図１〜図３に示す撮像装置１は、本体部２と、本体部２に着脱自在なレンズ部３と、本体部２に着脱自在な接眼表示部（電子ビューファンダー）４と、を備える。
【００２３】
図１〜図３に示すように、本体部２は、撮像部２０１と、撮像駆動部２０２と、信号処理部２０３と、フラッシュ発光部２０４と、移動状態判定部２０５と、タイマー２０６と、第１通信部２０７と、第２通信部２０８と、操作入力部２０９と、表示部２１０と、タッチパネル２１１と、記憶部２１２と、電源部２１３と、電源供給部２１４と、制御部２１５と、を有する。
【００２４】
撮像部２０１は、レンズ部３が集光した光を受光して電気信号に変換するＣＣＤ（Charge  Coupled  Device）やＣＭＯＳ（Complementary  Metal  Oxide  Semiconductor）等の撮像素子と、シャッタとを用いて構成される。
【００２５】
撮像駆動部２０２は、レリーズ信号に応じて撮像素子およびシャッタを駆動させる機能を有する。たとえば、撮像駆動部２０２は、所定のタイミングで撮像部２０１の撮像素子から画像データ（アナログ信号）を信号処理部２０３に出力させる。
【００２６】
信号処理部２０３は、撮像部２０１から出力されるアナログ信号に増幅等の信号処理を施した後、Ａ／Ｄ変換を行うことによってデジタルの画像データを生成して出力する。
【００２７】
フラッシュ発光部２０４は、キセノンランプやＬＥＤ（Light  Emitting  Diode）等を用いて構成される。フラッシュ発光部２０４は、撮像装置１が撮像する視野領域へ向けて補助光であるストロボ光を照射する。
【００２８】
図４は、移動状態判定部２０５の一部をなす加速度センサの構成を示す図である。図４に示す加速度センサ１０は、ＭＥＭＳ（Micro  Electro  Mechanical  Systems）プロセスによって形成された静電容量型の加速度センサである。加速度センサ１０は、直方体状のチップ１１の主面の四隅付近に端部が固定された状態で架橋された梁構造を有する金属製の可動部１２と、チップ１１の主面であって可動部１２の端部が固定された主面上に設けられた金属性の二つの平板部１３と、を有する。可動部１２は、チップ１１の主面の同じ方向に沿ってそれぞれ帯状に延在し、両端部が固体された二つの延在部１２ａと、二つの延在部１２ａの中央部同士を延在部１２ａが延びる方向と直交する方向に沿って連結する帯状の連結部１２ｂと、連結部１２ｂの中央部から延在部１２ａが延びる方向と平行に帯状に突出する突出部１２ｃと、を有する。
【００２９】
以上の構成を有する加速度センサ１０は、図４の左右方向（矢印方向）の加速度が加わった場合、可動部１２が延在部１２ａの端部を除いて左右方向に撓んで変形する。このため、突出部１２ｃと平板部１３との位置関係が変化して静電容量が変換する。加速度センサ１０は、この静電容量の変化に基づく信号（電圧）を出力する。
【００３０】
図５は、撮像装置１における移動状態判定部２０５の構成を模式的に示す図である。図５に示すように、移動状態判定部２０５は、加速度の検出方向が互いに直交する三つの加速度センサ１０を有する。具体的には、撮像装置１に固有の座標系として、撮像装置１の幅方向と平行なｘ軸、撮像装置１の鉛直方向と平行なｙ軸、および撮像装置１の光軸と平行なｚ軸をとり、各軸方向の加速度成分をそれぞれ検出する三つの加速度センサ１０を撮像装置１の本体部２の所定の位置に取り付ける。
【００３１】
このような構成を有する移動状態判定部２０５によれば、ユーザが撮像装置１を被写体側（ｚ方向）に向けて移動させた場合、この移動によって生じる加速度を的確に検知することができる。さらに、ユーザが撮像装置１を用いて被写体を追跡する追跡状態も検知することができる。また、移動状態判定部２０５は、表示部２１０が表示する画像の横方向と撮像装置１の水平方向とがほぼ等しい場合に撮像装置１の移動状態を判定する。なお、移動状態判定部２０５は、手ブレの判定やこの判定に基づく画像の補正を行う場合に用いることもできる。
【００３２】
図６は、撮像装置１を被写体に向けて移動させた場合に移動状態判定部２０５の一部をなす加速度センサ１０が検出する加速度の大きさの時間変化を示す図である。図６において、曲線Ｌｚ１は、撮像装置１のｚ軸方向（図５を参照）の加速度の大きさの時間変化を示す。図６では、横軸が時間ｔを示し、縦軸が加速度センサ１０によって検出される加速度の大きさａを示す。また、図６では、撮像装置１が被写体に向けて進行する方向の加速度を正としている。
【００３３】
図６に示すように、撮像装置１のｚ軸方向の加速度の大きさは、ユーザが時点ｔ１で撮像装置１を被写体側に向けて移動を開始し、時点ｔ２で撮像装置１の移動を停止させた場合、パルス状の時間変化を示す（曲線Ｌｚ１を参照）。このように、移動状態判定部２０５は、撮像装置１が移動した場合、加速度の変化に従って、撮像装置１の移動を判定することができる。
【００３４】
タイマー２０６は、計時機能や撮影日時の判定機能を有する。タイマー２０６は、撮像された画像データに日時データを付加するため、制御部２１５に日時データを出力する。
【００３５】
第１通信部２０７は、本体部２に装着されたレンズ部３との通信を行うための通信インターフェースである。第２通信部２０８は、本体部２に装着される接眼表示部４との通信を行うための通信インターフェースである。なお、第２通信部２０８は、本体部２に装着されるアクセサリ、たとえばエレクトロニックフラッシュやマイク等と通信を行うこともできる。
【００３６】
操作入力部２０９は、図１および図２に示すように、撮像装置１の電源状態をオン状態またはオフ状態に切り換える電源スイッチ２０９ａと、静止画撮影の指示を与える静止画レリーズ信号を入力するレリーズスイッチ２０９ｂと、撮像装置１に設定された各種撮影モード切換の指示を与える切換信号を入力する撮影モード切換スイッチ２０９ｃと、表示部２１０が表示する画像の表示時間における延長の指示を与える指示信号の入力を受け付ける表示延長スイッチ２０９ｄと、を有する。なお、表示延長スイッチ２０９ｄが本実施の形態にかかる入力部として機能する。
【００３７】
表示部２１０は、液晶または有機ＥＬ（Electro  Luminescence）等からなる表示パネルを用いて実現される。表示部２１０は、画像データに対応する横長の画像を表示する。表示部２１０は、撮像装置１の動作指示に関する情報や撮影に関する撮影情報を表示する。なお、表示部２１０が表示する画像の大きさ（表示領域）としては、３ｉｎｃｈ程度あればよい。
【００３８】
タッチパネル２１１は、表示部２１０の表示画面上に設けられる。タッチパネル２１１は、ユーザが表示部２１０で表示される情報に基づいて接触した位置を検出し、この検出した接触位置に応じて撮像装置１が行う動作を指示する動作指示の入力を受け付ける。一般に、タッチパネルとしては、抵抗膜方式、静電容量方式、光学方式等がある。本実施の形態では、いずれの方式のタッチパネルであっても適用可能である。
【００３９】
記憶部２１２は、撮像装置１の内部に固定的に設けられるフラッシュメモリやＤＲＡＭ（Dynamic  Random  Access  Memory）等の半導体メモリを用いて実現される。記憶部２１２は、撮像装置１を動作させるための各種プログラム、本実施の形態１にかかるプログラムおよびプログラムの実行中に使用される各種データやパラメータ等を記憶する。記憶部２１２は、画像データを記憶するとともに、本体部２に装着可能なレンズ部３の情報やレンズ部３の種類に応じた画像データの補正情報等の情報を記憶する。なお、記憶部２１２が、外部から装着されるメモリカード等のコンピュータで読取可能な記憶媒体を含むものであってもよい。
【００４０】
電源部２１３は、撮像装置１に着脱自在なバッテリを用いて構成される。電源供給部２１４は、撮像装置１の各構成部（装着されるレンズ部３および接眼表示部４も含む）に対して電源部２１３の電力を供給する。なお、電源供給部２１４は、外部電源（図示せず）から供給される電量を撮像装置１の各構成部に供給するようにしてもよい。
【００４１】
制御部２１５は、ＣＰＵ（Central  Processing  Unit）等を用いて構成される。制御部２１５は、操作入力部２０９やタッチパネル２１１からの指示信号や切換信号等に応じて撮像装置１を構成する各部に対応する指示やデータの転送等を行って撮像装置１の動作を統括的に制御する。制御部２１５は、画像処理部２１５ａと、顔検出部２１５ｂと、撮影制御部２１５ｃと、表示制御部２１５ｄと、を有する。
【００４２】
画像処理部２１５ａは、信号処理部２０３を介して撮像部２０１から入力される画像データに対して各種の画像処理を施して記憶部２１２に出力する。具体的には、画像処理部２１５ａは、画像データに対して、少なくともエッジ強調、ホワイトバランス、色補正およびγ補正を含む画像処理を行う。
【００４３】
顔検出部２１５ｂは、画像データに対応する画像に含まれる人物の顔をパターンマッチングによって検出する。なお、顔検出部２１５ｂは、人物の顔だけでなく、犬や猫等の顔を検出してもよい。さらに、顔検出部２１５ｂは、パターンマッチング以外の周知技術を用いて人物の顔を検出してもよい。
【００４４】
撮影制御部２１５ｃは、静止画レリーズ信号が入力された場合、撮像装置１における静止画撮影動作を開始する制御を行う。ここで、撮像装置１における静止画撮影動作とは、撮像駆動部２０２の駆動によって撮像部２０１が出力した画像データに対し、信号処理部２０３および画像処理部２１５ａが所定の処理を施す動作をいう。このようにして処理が施された画像データは、撮影制御部２１５ｃの制御のもと、記憶部２１２に記憶される。撮影制御部２１５ｃは、移動状態判定部２０５の判定結果に応じて、タッチパネル２１１が検出する検出領域を変更する、具体的には、撮影制御部２１５ｃは、移動状態判定部２０５によって撮像装置１が移動状態であると判定された場合、タッチパネル２１１が検出する検出領域を右領域に設定する。ここで、右領域とは、表示部２１０の表示領域を略半分にした際の右側の領域である。具体的には、ユーザが右手の人差し指でレリーズスイッチ２０９ｂに添えた状態で右手の親指がタッチパネル２１１に対してタッチできる範囲である。
【００４５】
表示制御部２１５ｄは、移動状態判定部２０５の判定結果に応じて、撮像部２０１が生成した画像データに対応する画像を、表示部２１０および／または接眼表示部４に表示させる。具体的には、表示制御部２１５ｄは、移動状態判定部２０５によって撮像装置１が移動状態であると判定された場合、ライブビュー画像を表示部２１０に表示させる一方、移動状態判定部２０５によって撮像装置１が移動状態でないと判定された場合、ライブビュー画像を接眼表示部４に表示させる。また、表示制御部２１５ｄは、移動状態判定部２０５の判定結果に応じて、撮像装置１が行う動作を指示する動作指示に関する動作情報の内容を変更して表示部２１０および／または接眼表示部４に表示させる。具体的には、表示制御部２１５ｇは、移動状態判定部２０５によって撮像装置１が移動状態であると判定された場合、撮像装置１が受け付ける動作指示に関する動作情報を、撮像装置１の移動状態においてユーザが選択可能な動作指示に対応するアイコンを表示部２１０および／または接眼表示部４に表示させる。さらに、表示制御部２１５ｄは、ライブビュー画像の表示を、接眼表示部４から表示部２１０に切換える場合または表示部２１０から接眼表示部４に切換える場合、ライブビュー画像の表示先を切換えることを示す切換情報を、表示部２１０または接眼表示部４に表示させる。さらにまた、表示制御部２１５ｄは、ライブビュー画像の表示を切換えるまでの時間を表示部２１０または接眼表示部４に表示させる。
【００４６】
以上の構成を有する本体部２に対して、音声入出力機能、またはインターネットを介して外部のパーソナルコンピュータ（図示せず）と双方向に通信機能等を具備させてもよい。
【００４７】
レンズ部３は、光学系３０１と、レンズ駆動部３０２と、絞り駆動部３０３と、レンズ操作部３０４と、レンズ記憶部３０５と、レンズ通信部３０６と、レンズ制御部３０７と、を備える。
【００４８】
光学系３０１は、一または複数のレンズを用いて構成される。光学系３０１は、所定の視野領域から光を集光し、この集光した光を撮像部２０１に結像する。光学系３０１は、光学系３０１の焦点距離を変更することにより、光学系３０１の画角を変更するズームレンズ３０１ａと、光学系３０１が集光した光の入射量を制限することにより露出の調整を行う絞り機構３０１ｂと、を有する。
【００４９】
レンズ駆動部３０２は、ステッピングモータやＤＣモータ等を用いて構成される。レンズ駆動部３０２は、光学系３０１のレンズを光軸上で移動させることにより、光学系３０１のピント位置や焦点距離等の変更を行う。具体的には、レンズ駆動部３０２は、ズームレンズ３０１ａを光軸上で移動させることにより、光学系３０１の焦点距離の変更を行う。
【００５０】
絞り駆動部３０３は、ステッピングモータ等を用いて構成される。絞り駆動部３０３は、絞り機構３０１ｂを駆動することにより、撮像部２０１に入射する光の光量を調整する。
【００５１】
レンズ操作部３０４は、レンズ部３のレンズ鏡筒の周囲に設けられるズームリングやピントリングであり、光学系３０１内のレンズを操作する信号が入力される。なお、レンズ操作部３０４は、プッシュ式のスイッチ等であってもよい。
【００５２】
レンズ記憶部３０５は、光学系３０１のズームレンズ３０１ａ等の位置や動きを決定するための制御用プログラムを記憶する。レンズ記憶部３０５は、ズームレンズ３０１ａの倍率、焦点距離、収差およびＦ値（明るさＮｏ）等を記憶する。
【００５３】
レンズ通信部３０６は、レンズ部３が本体部２に装着されたときに、本体部２の第１通信部２０７と通信を行うための通信インターフェースである。
【００５４】
レンズ制御部３０７は、ＣＰＵ（Central  Processing  Unit）等を用いて構成される。レンズ制御部３０７は、本体部２からの指示信号に応じてレンズ部３の動作を制御する。
【００５５】
接眼表示部４は、液晶または有機ＥＬ（Electro  Luminescence）等からなる表示パネルを用いて実現される。接眼表示部４は、画像データに対応するライブビュー画像を表示する。接眼表示部４は、ライブビュー画像の表示領域が表示部２１０の表示領域より小さい。たとえば、接眼表示部４が表示するライブビュー画像の大きさ（表示領域）が１ｉｎｃｈ程度であればよい。接眼表示部４は、撮像装置１が行う動作を指示する動作指示に関する動作情報または撮影状況に関する情報をライブビュー画像に重畳して表示する。接眼表示部４は、ユーザが目を近接させることにより、ライブビュー画像が確認される。接眼表示部４は、本体部２に装着されたときに、本体部２の第２通信部２０８と通信を行う接眼通信部４０１を有する。
【００５６】
以上の構成を有する撮像装置１において、ユーザが撮像装置１を用いて移動しながら撮影を行う際に接眼表示部４で画像を確認することが難しい状況について説明する。図７は、撮像装置１を用いて撮影を行う際に接眼表示部４で画像を確認することができる状況の一例を模式的に示す図である。図８は、撮像装置１を用いて移動しながら撮影を行う際に接眼表示部４で画像を確認することが難しい状況の一例を模式的に示す図である。図９は、撮像装置１を用いて移動しながら撮影を行う際に接眼表示部４で画像を確認することが難しい状況の別の一例を模式的に示す図である。
【００５７】
図７に示すように、ユーザが停止した状態で撮影を行う状況では、撮影時に生じる手ブレを防止するため、右手で本体部２を保持しながら右手の人差し指をレリーズスイッチ２０９ｂに添える一方、左手でレンズ部３を支えながら左手の親指と中指でレンズ操作部３０４を操作する。さらに、接眼表示部４を覗き込みながら撮影を行う。
【００５８】
これに対して、ユーザが荷物を持ちながら歩いて片手で撮影を行う場合のように、ユーザが接眼表示部４に覗き込みながらライブビュー画像で撮影の構図を確認すると、ユーザの視野が狭くなるので歩きづらい。このため、ユーザは、図８に示すように、接眼表示部４の表示領域より大きい表示部２１０でライブビュー画像を見ながら撮影する方が安全である。
【００５９】
また、図９に示すように、ユーザがスキー等で滑走や滑降しながら被写体を追跡して撮影を行う場合において、ユーザが接眼表示部４に覗き込みながら撮影を行うとき、ユーザの視野が狭くなることで滑走や滑降が難しくなる。このため、ユーザは、表示部２１０で表示されるライブビュー画像を見ながら撮影する方が安全かつ容易に滑走や滑降を行うことができる。そこで、本実施の形態１では、表示制御部２１５ｄは、移動状態判定部２０５の判定結果に応じて、撮像部２０１が生成した画像データに対応する画像を表示部２１０および／または接眼表示部４に表示させる。具体的には、表示制御部２１５ｄは、移動状態判定部２０５によって撮像装置１が移動状態であると判定された場合、撮像部２０１が生成した画像データに対応する画像を接眼表示部４に表示させる一方、移動状態判定部２０５によって撮像装置１が移動状態でないと判定された場合、撮像部２０１が生成した画像データに対応する画像を表示部２１０に表示させる。
【００６０】
つぎに、移動状態判定部２０５が撮像装置１の移動状態を判定する判定方法について説明する。図１０は、ユーザが撮像装置１を用いて移動する際の状況を模式的に示す図である。図１１は、図１０に示す状況下において被写体側から見た正面を模式的に示す図である。図１２は、図１０に示す状況下において移動状態判定部２０５の一部をなす加速度センサ１０が検出する加速度の大きさの変化を示す図である。なお、図１２において、縦軸が加速度の大きさａを示し、横軸が時間ｔを示す。さらに、曲線Ｌｙ２が撮像装置１の上向きを正とした際のｙ軸方向の加速度センサが検出する加速度の大きさａを示し、曲線Ｌｚ２が撮像装置１の光軸が被写体に向かう向きを正とした際のｚ軸方向の加速度センサが検出する加速度の大きさａを示す。また、時点ｔａ〜時点ｔｅは、図１０の時点ｔａ〜時点ｔｅそれぞれに対応する。
【００６１】
図１０および図１１に示すように、撮像装置１は、ユーザの移動に伴う足の動き（図１０では、踏み出し状態の足を斜線にて表現）に応じて、上下（鉛直方向）に大きく揺れる。この上下の動きに応じて、ｙ軸方向の加速度（曲線Ｌｙ２を参照）は、周期的にほぼ一定の変化を有する波長となって加速度センサ１０に検出される。さらに、撮像装置１は、ユーザが足を踏み込んだときに大きく前に移動する。この前に移動する動きに応じて、ｚ軸方向の加速度（曲線Ｌｚ２を参照）も、周期的にほぼ一定の変化を有する波長となって加速度センサ１０によって検出される。このため、本実施の形態１では、移動状態判定部２０５は、撮像装置１が撮影を行う際に、撮像装置１の鉛直方向（ｙ軸方向）における加速度の変化の周期と、水平方向（ｚ軸）における加速度の変化の周期とがほぼ一致する場合、撮像装置１が移動状態（追跡状態）であると判定する。また、移動状態判定部２０５が判定する鉛直方向および水平方向それぞれの加速度の変化の周期としては、１秒程度であればよい。なお、移動状態判定部２０５は、ユーザの歩行、滑降および滑走等の状態を判定し、この判定結果と、ユーザによる撮像装置１の構え方等とを参照して、追跡状態（追跡撮影）または並走状態（並走撮影）であるか否かを判定してもよい。
【００６２】
このように、上述した状況において、ユーザが撮像装置１を用いて撮影を行う際に動作指示の入力が難しい操作について詳細に説明する。図１３〜図１５は、図８に示す状況においてユーザが撮影を行う際に動作指示の入力が難しい操作の一例を模式的に示す図である。図１６は、図８に示す状況下においてユーザが撮影を行う際に動作指示の入力が可能な操作の一例を模式的に示す図である。
【００６３】
図１３および図１４に示すように、右手で撮像装置１を支えながらタッチパネル２１１に対して左手でタッチするタッチ操作、またはタッチパネル２１１の複数個所にタッチして拡大表示させるマルチタッチ操作等は、ユーザが歩きながら撮影を行う際には非常に難しい操作である。さらに、図１５に示すように、被写体のシャッタチャンスを逃すことを防止するため、ユーザが右手の人差し指でレリーズスイッチ２０９ｂをいつでも押せるようにした状況では、撮影モード切換スイッチ２０９ｃを操作する切換操作、または表示部２１０から視線を移して操作しなければならないズーム操作等は、非常に難しい操作である。
【００６４】
これに対して、図１６に示すように、ユーザが右手の人差し指でレリーズスイッチ２０９ｂをいつでも押せるようにした状況では、タッチパネル２１１に対して右手の親指によるタッチ操作やスライド操作を行うことができる。そこで、本実施の形態１では、撮影制御部２１５ｃが移動状態判定部２０５の判定結果に応じて、タッチパネル２１１が入力を受け付ける領域を変更する。具体的には、撮影制御部２１５ｃは、移動状態判定部２０５によって撮像装置１が移動状態であると判定された場合、タッチパネル２１１が入力を受け付ける領域を右領域のみに設定する。さらに、表示制御部２１５ｄは、表示部２１０が表示する動作指示に関するアイコンの内容を、撮像装置１の初期状態においてユーザが選択可能な第１の動作指示から撮像装置１の移動状態においてユーザが選択可能な第２の動作指示に切換える。これにより、ユーザは、移動しながらの撮影または被写体を追跡しながらの撮影を行う状況下であっても、動作指示の入力を行うことができる。
【００６５】
つぎに、以上の構成を有する撮像装置１が行う動作についいて説明する。図１７は、撮像装置１が行う処理の概要を示すフローチャートである。
【００６６】
図１７に示すように、まず、制御部２１５は、撮像装置１が撮影モードに設定されているか否かを判断する（ステップＳ１０１）。撮像装置１が撮影モードに設定されている場合（ステップＳ１０１：Ｙｅｓ）、撮像装置１は後述するステップＳ１０２へ移行する。一方、撮像装置１が撮影モードに設定されていない場合（ステップＳ１０１：Ｎｏ）、撮像装置１は後述するステップＳ１２４へ移行する。
【００６７】
ステップＳ１０１において、撮像装置１が撮影モードに設定されている場合（ステップＳ１０１：Ｙｅｓ）について説明する。この場合、撮像装置１は、撮影制御部２１５ｃの制御のもと、撮影を開始する（ステップＳ１０２）。
【００６８】
続いて、移動状態判定部２０５は、撮像装置１の移動状態を判定する移動状態判定処理を実行し（ステップＳ１０３）、撮像装置１はステップＳ１０４へ移行する。
【００６９】
ステップＳ１０４において、撮像装置１が移動中である場合（ステップＳ１０４：Ｙｅｓ）について説明する。この場合、表示制御部２１５ｄは、第２の動作指示に関する情報を表示部２１０に表示させる表示モードとして表示モード２に設定し（ステップＳ１０５）、撮像部２０１が生成した画像データに対応するライブビュー画像を表示部２１０に表示させる（ステップＳ１０６）。具体的には、図１８に示すように、表示制御部２１５ｄは、第２の動作指示に関する情報としてアイコンＡ１，Ａ２をライブビュー画像に重畳して表示部２１０に表示させる。アイコンＡ１は、タッチパネル２１１を介して動画撮影の開始または停止の指示信号の入力を受け付けるアイコンである。アイコンＡ２は、タッチパネル２１１を介して光学系３０１の画角（ズーム倍率）の変更を指示する指示信号の入力を受け付けるアイコンである。なお、表示制御部２１５ｄは、アイコンＡ，Ａ２を接眼表示部４に表示させてもよい。
【００７０】
続いて、撮影制御部２１５ｃは、タッチパネル２１１が入力を受け付ける検出領域を右領域に設定する（ステップＳ１０７）。これにより、ユーザは、右領域内で表示されるアイコンに基づいて、動作指示の入力を行うことができる。なお、制御部２１５がタッチパネル２１１に対して設定する検出領域は、適宜設定することができる。
【００７１】
その後、制御部２１５は、撮像装置１に表示モード２が設定された後、所定時間ｔ１（たとえば３０秒）経過したか否かを判断する（ステップＳ１０８）。表示モード２が設定された後、所定時間ｔ１経過している場合（ステップＳ１０８：Ｙｅｓ）、接眼表示部４をオフにし（ステップＳ１０９）、撮像装置１はステップＳ１１０へ移行する。
【００７２】
ステップＳ１１０において、ユーザが表示部２１０の画面上で表示されるアイコンの領域内でタッチパネル２１１をタッチまたはレリーズスイッチ２０９ｂを押下する操作があった場合（ステップＳ１１０：Ｙｅｓ）、撮影制御部２１５ｃは、操作に応じた制御、たとえば静止画撮影やズーム動作処理を実行し（ステップＳ１１１）、撮像装置１はステップＳ１１２へ移行する。
【００７３】
ステップＳ１１０において、操作がない場合（ステップＳ１１０：Ｎｏ）、撮像装置１はステップＳ１１２へ移行する。
【００７４】
ステップＳ１１２において、電源スイッチ２０９ａが押された場合（ステップＳ１１２：Ｙｅｓ）、制御部２１５は、電源をオフする制御を行い（ステップＳ１１３）、一連の処理を終了する。
【００７５】
ステップＳ１１２において、電源スイッチ２０９ａが押されていない場合（ステップＳ１１２：Ｎｏ）、撮像装置１はステップＳ１０１へ戻る。
【００７６】
ステップＳ１０８において、表示モード２が設定された後、所定時間ｔ１経過していない場合（ステップＳ１０８：Ｎｏ）について説明する。この場合、表示制御部２１５ｄは、ライブビュー画像を表示部２１０に表示させる旨の注記を接眼表示部４に表示させる（ステップＳ１１４）。具体的には、図１９に示すように、表示制御部２１５ｄは、接眼表示部４が表示しているライブビュー画像Ｗ１の領域Ｒ１に、ライブビュー画像が切り換わる旨の注記を重畳して表示させる。さらに、表示制御部２１５ｄは、ライブビュー画像の表示が接眼表示部４から表示部２１０に切り換わるまでの時間に対応するタイムバーＡ３を表示させる。これにより、ユーザは、ライブビュー画像が表示される表示先と表示先が切り換わるまでの時間を直感的に把握することができる。
【００７７】
ステップＳ１０４において、撮像装置１が移動中でない場合（ステップＳ１０４：Ｎｏ）について説明する。この場合、表示制御部２１５ｄは、第１の動作指示に関する情報を表示部２１０に表示させる表示モードとして表示モード１を設定し（ステップＳ１１５）、撮像部２０１が生成した画像データに対応するライブビュー画像を接眼表示部４に表示させる（ステップＳ１１６）、具体的には、図２０に示すように、表示制御部２１５ｄは、第１の動作指示に関する情報として、複数の動作指示に関するアイコンＡ１１〜Ａ１６を表示部２１０に表示させるとともに、ライブビュー画像を接眼表示部４に表示させる。
【００７８】
続いて、制御部２１５は、タッチパネル２１１が入力を受け付ける領域を全領域に設定する（ステップＳ１１７）。これにより、ユーザは、停止時に、表示部２１０が表示するアイコンの領域においてタッチパネル２１１をタッチすることにより、所望の動作指示の入力を行うことができる。さらに、ユーザは、停止した状態であっても、接眼表示部４で表示されるアイコンＡ１１〜Ａ１６を見ながら、表示部２１０で表示されるアイコンＡ１１〜Ａ１６の位置を推測しながら所望の動作指示の入力を行うことができる。
【００７９】
その後、制御部２１５は、撮像装置１に表示モード１が設定された後、所定時間ｔ２（ｔ１＜ｔ２，たとえば２分）経過したか否かを判断する（ステップＳ１１８）。表示モード１が設定された後、所定時間ｔ２経過後（ステップＳ１１８：Ｙｅｓ）、表示延長スイッチ２０９ｄが操作されることにより表示部２１０による表示を延長する延長操作がある場合（ステップＳ１１９：Ｙｅｓ）、撮像装置１は後述するステップＳ１２２へ移行する。一方、延長操作がない場合（ステップＳ１１９：Ｎｏ）、制御部２１５は、表示部２１０の表示をオフにし（ステップＳ１２０）、撮像装置１は後述するステップＳ１２２へ移行する。
【００８０】
ステップＳ１１８において、表示モード１が設定された後、所定時間ｔ２経過していない場合（ステップＳ１１８：Ｎｏ）、表示制御部２１５ｄは、表示部２１０にライブビュー画像が接眼表示部４に表示される旨の注記を表示部２１０に表示させ（ステップＳ１２１）、撮像装置１はステップＳ１２２へ移行する。
【００８１】
ステップＳ１２２において、ユーザが表示部２１０の画面上で表示されるアイコンの領域内でタッチパネル２１１をタッチ操作またはレリーズスイッチ２０９ｂを押下する操作があった場合（ステップＳ１２２：Ｙｅｓ）、撮影制御部２１５ｃは、操作に応じた制御を実行し（ステップＳ１２３）、撮像装置１はステップＳ１１２へ移行する。
【００８２】
ステップＳ１２２において、ユーザによる操作がない場合（ステップＳ１２２：Ｎｏ）、撮像装置１はステップＳ１１２へ移行する。
【００８３】
つぎに、ステップＳ１０１において、撮像装置１が撮影モードに設定されていない場合（ステップＳ１０１：Ｎｏ）について説明する。この場合において、撮像装置１が再生モードに設定されているとき（ステップＳ１２４：Ｙｅｓ）、表示制御部２１５ｄは、表示部２１０にファイル一覧を表示させる（ステップＳ１２５）。
【００８４】
続いて、操作入力部２０９またはタッチパネル２１１を介して拡大して表示するファイルが選択された場合（ステップＳ１２６：Ｙｅｓ）、表示制御部２１５ｄは、選択されたファイルを表示部２１０に再生表示させる（ステップＳ１２７）。
【００８５】
その後、別の画像ファイルが新たに選択された場合（ステップＳ１２８：Ｙｅｓ）、撮像装置１はステップＳ１２７へ戻る。一方、別の画像ファイルが選択されていない場合（ステップＳ１２８：Ｎｏ）、撮像装置１はステップＳ１２９へ移行する。
【００８６】
ステップＳ１２９において、操作入力部２０９またはタッチパネル２１１によって画像再生の終了指示が入力された場合（ステップＳ１２９：Ｙｅｓ）、撮像装置１はステップＳ１１２へ移行する。これに対して、画像再生の終了指示が入力されていない場合（ステップＳ１２９：Ｎｏ）、撮像装置１はステップＳ１２５へ戻る。
【００８７】
ステップＳ１２４において、撮像装置１が再生モードに設定されていない場合（ステップＳ１２４：Ｎｏ）、撮像装置１はステップＳ１１２へ移行する。
【００８８】
つぎに、図１７に示したステップＳ１０３の移動状態判定処理について説明する。図２１は、図１７に示す移動状態判定処理の概要を示すフローチャートである。
【００８９】
図２１に示すように、まず、移動状態判定部２０５は、加速度センサ１０が検出する加速度の加速度データを記憶部２１２に記憶させる（ステップＳ２０１）。
【００９０】
続いて、移動状態判定部２０５は、記憶部２１２に過去ｔ３秒（たとえば１秒）分の加速度データがある場合（ステップＳ２０２：Ｙｅｓ）において、ｙ軸方向の加速度の変化が周期的であり（ステップＳ２０３：Ｙｅｓ）、かつ、ｚ軸方向の加速度の変化が周期的であるとき（ステップＳ２０４：Ｙｅｓ）、撮像装置１が移動中であると判定する（ステップＳ２０５）。その後、撮像装置１は図１７に示したメインルーチンに戻る。
【００９１】
これに対して、移動状態判定部２０５は、記憶部２１２に過去ｔ３秒分の加速度データがない場合（ステップＳ２０２：Ｎｏ）、ｙ軸方向の加速度の変化が周期的でない場合（ステップＳ２０３：Ｎｏ）またはｚ軸方向の加速度の変化が周期的でない場合（ステップＳ２０４：Ｎｏ）、撮像装置１が移動中でないと判定する（ステップＳ２０６）。その後、撮像装置１は図１７に示したメインルーチンに戻る。
【００９２】
以上説明した本実施の形態１では、表示制御部２１５ｄが、移動状態判定部２０５によって撮像装置１が移動状態であると判定された場合、撮像部２０１が生成する画像データに対応するライブビュー画像の表示先を接眼表示部４から表示部２１０に切換える。これにより、ユーザが、移動しながら撮影する状態であっても、十分に視野を得ることができ、安全に撮影を行うことができる。
【００９３】
さらに、本実施の形態１によれば、表示制御部２１５ｄが、ライブビュー画像の表示先を表示部２１０および接眼表示部４の一方から他方に切換える場合、ライブビュー画像を一定時間だけ表示部２１０および接眼表示部４に同時に表示させるので、ライブビュー画像の表示先が瞬時に切り換わることを防止することができる。
【００９４】
また、本実施の形態１によれば、表示制御部２１５ｄが、ライブビュー画像の表示先を表示部２１０から接眼表示部４に切換える場合、表示部２１０が表示するライブビュー画像の表示時間を接眼表示部４が表示するライブビュー画像の表示時間よりも長くしているので、ユーザが移動しながら撮影を行う際に信号待ち等で短い時間、たとえば３０秒間停止した状況であっても、表示部２１０がライブビュー画像の表示を続ける。この結果、ユーザは、短い時間停止した状態から移動を開始しても、表示部２１０が表示するライブビュー画像を見ながら撮影を行うことができる。
【００９５】
さらにまた、本実施の形態１によれば、表示制御部２１５ｄが、ライブビュー画像の表示先を表示部２１０から接眼表示部４に切換える場合において、表示延長スイッチ２０９ｄから指示信号が入力されたとき、表示部２１０が表示するライブビュー画像の表示時間を延長する。この結果、ユーザは、停止状態であっても、表示延長スイッチ２０９ｄを操作することにより、表示部２１０が表示するライブビュー画像を確認しながら撮影を行うことができる。
【００９６】
また、本実施の形態１によれば、移動状態判定部２０５が、撮像装置１の鉛直方向における加速度の変化の周期と、水平方向における加速度の変化の周期とがほぼ一致する場合、撮像装置１が移動状態であると判定する。この結果、撮像装置１が移動状態であれば、タッチパネル２１１が受け付ける動作指示の内容を、確実に第２の動作指示に切換えることができる。
【００９７】
また、本実施の形態１によれば、移動状態判定部２０５は、表示部２１０が表示する画像の横方向と撮像装置１の水平方向とがほぼ等しい場合に撮像装置１の移動状態を判定する。これにより、ユーザは、表示部２１０に対して大きさ視野領域を確保した状態で移動しながら撮影を行うことができる。
【００９８】
なお、本実施の形態１では、移動状態判定部２０５が、撮像装置１の鉛直方向における加速度の変化の周期と、水平方向における加速度の変化の周期とがほぼ一致する場合、撮像装置１が移動状態であると判定していたが、たとえば、鉛直方向および水平方向それぞれの加速度の大きさに対して閾値を設け、鉛直方向および水平方向それぞれの加速度の大きさが周期的に閾値を超えた場合、撮像装置１が移動状態であると判定するようにしてもよい。さらに、移動状態判定部２０５は、鉛直方向および水平方向それぞれの加速度の変化率が、周期的にほぼ一致する場合、撮像装置１が移動状態であると判定するようにしてもよい。
【００９９】
また、本実施の形態１では、移動状態判定部２０５は、検出方向が互いに直交する三つの加速度センサ１０を用いて撮像装置１の移動状態を判定したが、たとえば、隣接する画像データに含まれる被写体画像の変化率、顔検出部２１５ｂが検出する人物の顔が含まれる領域の変化率、隣接する画像データの一致度および被写体と撮像装置１との撮影距離の変化率等を用いて撮像装置１の移動状態を判定するようにしてもよい。
【０１００】
また、本実施の形態１では、移動状態判定部２０５は、検出方向が互いに直交する三つの加速度センサ１０を用いて撮像装置１の移動状態を判定したが、気圧センサを用いて歩行、滑降または滑走に伴う上下の変化による気圧によって判定、電子コンパスを用いて移動方向と撮像装置１を向けた方向の関係とにより判定、または画像のブレの周期性等を用いて判定してもよく、必ずしも加速度センサ１０が必要なわけではない。
【０１０１】
また、本実施の形態１では、撮影制御部２１５ｃが移動状態判定部２０５の判定結果に応じて、タッチパネル２１１が受け付ける動作指示の内容を変更していたが、タッチパネル２１１に限定されるものでなく、たとえば撮影モード切換スイッチ２０９ｃや表示延長スイッチ２０９ｄ等のメカスイッチが受け付ける内容と撮像装置１の動作との対応関係を変更するようにしてもよい。
【０１０２】
（実施の形態２）
つぎに、本発明の実施の形態２について説明する。なお、本発明の実施の形態２にかかる撮像装置１は、上述した実施の形態１にかかる撮像装置１と同様の構成を有し、移動状態判定部２０５が判定する状況下のみ異なる。このため、撮像装置１の構成については説明を省略する。
【０１０３】
図２２は、図９に示す状況下においてユーザが撮像装置１を用いて被写体を追跡する際の状況を模式的に示す図である。図２３は、図２２に示す状況下において被写体側から見た正面の状態変化を模式的に示す図である。図２４は、図２２に示す状況下において移動状態判定部２０５の一部をなす加速度センサ１０が検出する加速度の大きさの変化を示す図である。なお、図２４において、縦軸が加速度の大きさａを示し、横軸が時間ｔを示す。さらに、曲線Ｌｙ３がｙ軸方向の加速度センサが検出する加速度の大きさを示し、曲線Ｌｚ３がｚ軸方向の加速度センサが検出する加速度の大きさを示し、曲線Ｌｘ３がｘ軸方向の加速度センサが検出する加速度の大きさを示す。また、時点ｔａ〜時点ｔｃは、図２２の時点ｔａ〜時点ｔｃそれぞれに対応する。
【０１０４】
図２２および図２３に示すように、撮像装置１は、ユーザがスキーの滑降に伴う左右の体重移動（図２２では、体重がかかる状態の足を斜線にて表現）に応じて、鉛直方向（ｙ軸方向）および進行方向（ｚ軸方向）に大きく揺れる。この鉛直方向および進行方向の揺れに応じて、ｙ軸方向の加速度（曲線ｙ３を参照）およびｚ軸方向の加速度（曲線ｚ３を参照）は、周期的にほぼ一定の変化を有する波長となって加速度センサ１０に検出される。さらに、撮像装置１は、ユーザの滑降に伴う左右の体重移動に応じて、進行方向に対して左右（ｘ軸方向）方向に小さく揺れる（図２３（ａ），（ｂ）を参照）。この左右の揺れに応じて、ｘ軸方向の加速度（曲線ｘ３を参照）も加速度センサ１０に検出する。
【０１０５】
このように、ユーザがスキーで滑降しながら被写体を追跡して撮影を行う場合、撮像装置１の鉛直方向（ｙ軸方向）における加速度の変化の周期と、進行方向（ｚ軸）における加速度の変化の周期とがほぼ一致する。そこで、本実施の形態２では、移動状態判定部２０５は、撮像装置１が撮影を行う際に、撮像装置１の鉛直方向（ｙ軸方向）における加速度の変化の周期と、水平方向（ｚ軸）における加速度の変化の周期とがほぼ一致する場合、撮像装置１が追跡状態（移動状態）であると判定する。
【０１０６】
以上説明した本実施の形態２によれば、上述した実施の形態１と同様に、動作指示の入力が難しい状況下であっても、ユーザが所望の操作を容易に行うことができる。
【０１０７】
なお、本実施の形態２では、被写体を後ろから追跡する状況下について説明したが、ユーザが被写体に並走しながら追跡して撮影を行う際にも適用することができる。図２５は、ユーザが撮像装置１を用いて被写体に並走しながら追跡して撮影を行う際の状況を模式的に示す図である。このような状況下において、撮像装置１は、鉛直方向（ｙ軸方向）および進行方向（ｘ軸方向）に大きく揺れる。この鉛直方向および進行方向の揺れに応じて、ｙ軸方向の加速度およびｘ軸方向の加速度は、周期的にほぼ一定の変化を有する波長となって加速度センサ１０に検出される。このように、移動状態判定部２０５は、ユーザが被写体に並走しながら追跡して撮影を行う際にも、撮像装置１が移動状態であるか否かを判定することができる。
【０１０８】
（その他の実施の形態）
また、上述した実施の形態１，２では、表示制御部２１５ｄがライブビュー画像の表示先を切換える場合、切換情報として注記をライブビュー画像に重畳して表示部２１０に表示していたが、たとえば、図２６に示すように、切換情報を時系列に沿って段階的に変化（図２６（ａ）〜（図２６（ｄ））させながら表示部２１０に表示させてもよい。具体的には、表示制御部２１５ｄは、ライブビュー画像が接眼表示部４で表示されることを示す画像Ｗ３１〜Ｗ３４を時系列に沿って段階的に表示部２１０に表示させるとともに、矢印Ｆでライブビュー画像が接眼表示部４により表示されることを強調する。これにより、ユーザは、移動によってライブビュー画像の表示先が表示部２１０から接眼表示部４に切り換わることをより直感的に把握することができる。
【０１０９】
また、上述した実施の形態１，２では、表示制御部２１５ｄが第２の撮像操作に関する情報としてトズーム操作および動画撮影操作のアイコンを表示部２１０に表示させていたが、たとえば、図２７に示すように、第２の動作指示に関する情報として各撮像動作に関する情報をアイコンＡ２１〜Ａ２６として表示部２１０の右領域に表示させてもよい。さらに、表示制御部２１５ｄは、ユーザがタッチパネル２１１上で行うスライド操作に応じて、表示部２１０に表示されるアイコンＡ２１〜Ａ２６の位置を回転させながら変更するようにしてもよい。これにより、ユーザは、過酷な状況下であっても、タッチパネル２１１上でスライド操作を行うことにより、所望の動作指示の入力を行うことができる。
【０１１０】
また、上述した実施の形態１，２では、表示制御部２１５ｄが第２の撮像操作としてオートズーム操作および動画撮影操作に関する情報を表示部２１０に表示させていたが、第２の動作指示の内容を適宜変更することも可能である。たとえば、表示制御部２１５ｄが撮像装置１の初期状態において第１の動作指示に関する情報として表示部２１０に表示させるＭＥＮＵアイコンＡ１１（図２０を参照）を操作することにより、第２の動作指示の内容を変更するようにしてもよい。
【０１１１】
また、上述した実施の形態１，２では、表示制御部２１５ｄが移動状態判定部２０５による判定結果に応じて、ライブビュー画像の表示先を表示部２１０と接眼表示部４との間で切換えてが、表示部２１０と接眼表示部４との切換でなくてもよい。たとえば、表示制御部２１５ｄは、表示部２１０の表示領域を、第１の表示領域と、この第１の表示領域より小さい第２の表示領域とに分割し、この分割した第１および第２の表示領域にライブビュー画像や動作情報を表示させてもよい。さらに、表示制御部２１５ｄは、撮像装置１の移動状態に応じて、表示部２１０の表示領域に対して、この表示領域より小さいライブビュー画像や動作情報を重畳して表示させてもよい。
【０１１２】
また、上述した実施の形態１，２では、レンズ部３が本体部２に着脱自在であったが、レンズ部３と本体部２とが一体的に形成されていてもよい。
【０１１３】
また、上述した実施の形態１，２では、接眼表示部４が電子ビューファインダーであったが、光学ビューファインダーであってもよい。
【０１１４】
また、上述した実施の形態１，２では、接眼表示部４が本体部２に着脱自在であってが、接眼表示部４と本体部２とが一体的に形成されていてもよい。
【０１１５】
また、上述した実施の形態１，２では、携帯機器をデジタル一眼レフカメラとして説明していたが、たとえば、デジタルビデオカメラ、カメラ付き携帯電話やパーソナルコンピュータ等の撮影機能および表示機能を備えた各種電子機器に適用することができる。
【符号の説明】
【０１１６】
１            撮像装置
２            本体部
３            レンズ部
４            接眼表示部
１０          加速度センサ
２０１        撮像部
２０２        撮像駆動部
２０３        信号処理部
２０４        フラッシュ発光部
２０５        移動状態判定部
２０６        タイマー
２０７        第１通信部
２０８        第２通信部
２０９        操作入力部
２１０        表示部
２１１        タッチパネル
２１２        記憶部
２１３        電源部
２１４        電源供給部
２１５        制御部
２１５ａ      画像処理部
２１５ｂ      顔検出部
２１５ｃ      撮影制御部
２１５ｄ      表示制御部
３０１        光学系
３０１ａ      ズームレンズ
３０１ｂ      絞り機構
３０２        レンズ駆動部
３０３        絞り駆動部
３０４        レンズ操作部
３０５        レンズ記憶部
３０６        レンズ通信部
３０７        レンズ制御部
４０１        接眼通信部
【図１】
0005957117.tif 000002
【図２】
0005957117.tif 000003
【図３】
0005957117.tif 000004
【図４】
0005957117.tif 000005
【図５】
0005957117.tif 000006
【図６】
0005957117.tif 000007
【図７】
0005957117.tif 000008
【図８】
0005957117.tif 000009
【図９】
0005957117.tif 000010
【図１０】
0005957117.tif 000011
【図１１】
0005957117.tif 000012
【図１２】
0005957117.tif 000013
【図１３】
0005957117.tif 000014
【図１４】
0005957117.tif 000015
【図１５】
0005957117.tif 000016
【図１６】
0005957117.tif 000017
【図１７】
0005957117.tif 000018
【図１８】
0005957117.tif 000019
【図１９】
0005957117.tif 000020
【図２０】
0005957117.tif 000021
【図２１】
0005957117.tif 000022
【図２２】
0005957117.tif 000023
【図２３】
0005957117.tif 000024
【図２４】
0005957117.tif 000025
【図２５】
0005957117.tif 000026
【図２６】
0005957117.tif 000027
【図２７】
0005957117.tif 000028